(57)【要約】      （修正有）【課題】動的な趣向を楽しむことができるアクション付き自動演奏装置を提供する。【解決手段】アクション付き自動演奏装置１において、自動演奏器の回転部と一体に回転可能な出力部材５は、先端側がケース２側に向かって撓んだ状態でスイッチ部材６と係合し、回転が阻止された状態となる。この状態では、自動演奏器の回転部の回転が阻止されるので、演奏が停止される。この状態から、スイッチ部材６を外力によって変位させると、出力部材５とスイッチ部材６との係合が解除され、出力部材５の先端側がケース２から外側に突出するとともに自動演奏器の演奏が開始される。出力部材５の先端側には、旗形状の造形物５５が設けられており、自動演奏器が演奏している間、造形物５５が回転する。【選択図】図２
0003202777.tif 000002
【実用新案登録請求の範囲】
【請求項１】
機械式の自動演奏器と、
前記自動演奏器を収容したケースと、
物品や動物の形に作り上げられた造形物が先端側に設けられ、前記ケースから先端側が外側に突出した状態で前記自動演奏器の回転部と一体に回転可能な可撓性の出力部材と、
前記ケースの側に支持され、先端側を前記ケース側に向けて撓ませた状態の前記出力部材と係合して前記出力部材の回転が阻止された状態とするスイッチ部材と、
を有し、
前記スイッチ部材を外力によって変位させて前記出力部材と前記スイッチ部材との係合を解除した際、前記出力部材の先端側が前記ケースから外側に突出するとともに前記自動演奏器が演奏を開始することを特徴とするアクション付き自動演奏装置。
【請求項２】
前記自動演奏器が演奏する際に前記出力部材が回転する方向は、前記出力部材が前記スイッチ部材と係合した状態で前記ケース側と干渉する方向であることを特徴とする請求項１に記載のアクション付き自動演奏装置。
【請求項３】
前記出力部材と前記スイッチ部材との係合が解除された際、前記出力部材は、前記ケースから上方に向かって起立することを特徴とする請求項１または２に記載のアクション付き自動演奏装置。
【請求項４】
前記スイッチ部材と係合した状態の前記出力部材を上方から覆うカバー部材を備え、
前記出力部材は、前記スイッチ部材との係合が解除された際、前記カバー部材を撥ね退けて前記ケースから上方に向かって突出することを特徴とする請求項３に記載のアクション付き自動演奏装置。
【請求項５】
前記カバー部材は、第１板状部材と、前記第１板状部材と面内方向に並んで、前記スイッチ部材と係合した状態の前記出力部材を前記第１板状部材とともに覆う第２板状部材と、を備え、
前記スイッチ部材と係合した状態の前記出力部材は、前記第１板状部材の前記第２板状部材側の端部、および前記第２板状部材の前記第１板状部材側の端部と重なっていることを特徴とする請求項４に記載のアクション付き自動演奏装置。
【請求項６】
前記ケースは、円筒状であり、
前記ケースには、酒樽用の菰状の外装部材が被せられ、
前記カバー部材は、酒樽の蓋形状を有していることを特徴とする請求項５に記載のアクション付き自動演奏装置。
【請求項７】
前記出力部材は、可撓性を有する軸状部を備え、
前記軸状部の先端側に前記造形物が旗形状に形成されていることを特徴とする請求項１から６の何れか一項に記載のアクション付き自動演奏装置。
【請求項８】
前記軸状部は、コイルバネによって可撓性が付されていることを特徴とする請求項７に記載のアクション付き自動演奏装置。
【請求項９】
前記ケースは、ボールを用いた競技が行われる競技場の模様が付された天板部を備え、
前記出力部材は、前記天板部に沿うように撓んで前記スイッチ部材と係合することを特徴とする請求項１から８の何れか一項に記載のアクション付き自動演奏装置。
【請求項１０】
前記天板部には、前記スイッチ部材と係合した状態の前記出力部材と重なる位置に、筒
状に巻回されたメッセージシートが保持されていることを特徴とする請求項９に記載のアクション付き自動演奏装置。
【請求項１１】
前記スイッチ部材は、外力が付される部分が前記ボールの形状に作り上げられた球状部になっていることを特徴とする請求項９または１０に記載のアクション付き自動演奏装置。
【請求項１２】
前記球状部に外力を印加するための打撃部材を備え、
前記打撃部材は、前記ボールを用いた競技において前記ボールを打撃するバット形状、ラケット形状、クラブ形状、またはスティック形状を有していることを特徴とする請求項１１に記載のアクション付き自動演奏装置。
【請求項１３】
前記自動演奏器は、オルゴールであることを特徴とする請求項１から１２の何れか一項に記載のアクション付き自動演奏装置。
【請求項１４】
前記出力部材には歯車が設けられ、
前記歯車は、前記オルゴールにおいて前記回転部として構成されたドラムと一体に回転する歯車と噛み合っていることを特徴とする請求項１３に記載のアクション付き自動演奏装置。
【考案の詳細な説明】
【技術分野】
【０００１】
本考案は、自動演奏器による演奏と造形物の動きを楽しむことのできるアクション付き自動演奏装置に関するものである。
【背景技術】
【０００２】
オルゴール等の演奏を楽しむ一方、視角的な趣向を凝らした自動演奏器としては、ケースを酒樽の菰状の外装部材で覆ったものが提案されている（特許文献１参照）。
【先行技術文献】
【特許文献】
【０００３】
【特許文献１】特開２００４−１３０９２号公報
【考案の概要】
【考案が解決しようとする課題】
【０００４】
特許文献１に記載の自動演奏器では、外装部材による静的な趣向を楽しむことができるが、動的な趣向を楽しむことができない。
【０００５】
そこで、本考案の課題は、動的な趣向を楽しむことができるアクション付き自動演奏装置を提供することにある。
【課題を解決するための手段】
【０００６】
上記課題を解決するために、本考案に係るアクション付き自動演奏装置は、機械式の自動演奏器と、前記自動演奏器を収容したケースと、物品や動物の形に作り上げられた造形物が先端側に設けられ、前記ケースから先端側が外側に突出した状態で前記自動演奏器の回転部と一体に回転可能な可撓性の出力部材と、前記ケースの側に支持され、先端側を前記ケース側に向けて撓ませた状態の前記出力部材と係合して前記出力部材の回転が阻止された状態とするスイッチ部材と、を有し、前記スイッチ部材を外力によって変位させて前記出力部材と前記スイッチ部材との係合を解除した際、前記出力部材の先端側が前記ケースから外側に突出するとともに前記自動演奏器が演奏を開始することを特徴とする。
【０００７】
本考案では、自動演奏器の回転部と一体に回転可能な出力部材は、可撓性を有しており、先端側が撓んだ状態でスイッチ部材と係合し、回転が阻止された状態となる。従って、自動演奏器での演奏が停止される。この状態から、スイッチ部材を外力によって変位させると、出力部材とスイッチ部材との係合が解除され、出力部材の先端側がケースから外側に突出するとともに自動演奏器の演奏が開始される。ここで、出力部材の先端側には造形物が設けられており、自動演奏器が演奏している間、造形物が回転する。従って、自動演奏器による演奏を楽しむことができるとともに、演奏を開始する際に出力部材の先端側がケースから外側に突出するというアクションと、演奏中、造形物が回転するというアクションとを楽しむことができる。
【０００８】
本考案において、前記自動演奏器が演奏する際に前記出力部材が回転する方向は、前記出力部材が前記スイッチ部材と係合した状態で前記ケース側と干渉する方向であることが好ましい。かかる構成によれば、簡素な構成で出力部材の回転を阻止することができる。
【０００９】
本考案において、前記出力部材と前記スイッチ部材との係合が解除された際、前記出力部材は、前記ケースから上方に向かって起立することが好ましい。かかる構成によれば、出力部材の動きを目立たせることができる。
【００１０】
本考案において、前記スイッチ部材と係合した状態の前記出力部材を上方から覆うカバー部材を備え、前記出力部材は、前記スイッチ部材との係合が解除された際、前記カバー部材を撥ね退けて前記ケースから上方に向かって突出することが好ましい。かかる構成によれば、演奏を開始する際にカバー部材のアクションを楽しむことができる。また、カバー部材のアクションは、出力部材によって行われるので、簡素な構成で上記の動作を実行することができる。
【００１１】
本考案において、前記カバー部材は、第１板状部材と、前記第１板状部材と面内方向に並んで、前記スイッチ部材と係合した状態の前記出力部材を前記第１板状部材とともに覆う第２板状部材と、を備え、前記スイッチ部材と係合した状態の前記出力部材は、前記第１板状部材の前記第２板状部材側の端部、および前記第２板状部材の前記第１板状部材側の端部と重なっていることが好ましい。かかる構成によれば、カバー部材に大きなアクションを行わせることができる。
【００１２】
本考案において、前記ケースは、円筒状であり、前記ケースには、酒樽用の菰状の外装部材が被せられ、前記カバー部材は、酒樽の蓋形状を有している態様を採用することができる。かかる構成によれば、酒樽を用いた鏡開きの動きを再現することができる。
【００１３】
本考案において、前記出力部材は、可撓性を有する軸状部を備え、前記軸状部の先端側に前記造形物が旗形状に形成されている態様を採用することができる。かかる構成によれば、旗形状の造形物の回転を楽しむことができる。
【００１４】
本考案において、前記軸状部は、コイルバネによって可撓性が付されている態様を採用することができる。かかる構成によれば、出力部材を繰り返し撓ませても、出力部材が損傷しにくい。
【００１５】
本考案において、前記ケースは、ボールを用いた競技が行われる競技場の模様が付された天板部を備え、前記出力部材は、前記天板部に沿うように撓んで前記スイッチ部材と係合する態様を採用することができる。
【００１６】
本考案において、前記天板部には、前記スイッチ部材と係合した状態の前記出力部材と重なる位置に、筒状に巻回されたメッセージシートが保持されている態様を採用することができる。
【００１７】
前記スイッチ部材は、外力が付される部分が前記ボールの形状に作り上げられた球状部になっている態様を採用することができる。かかる構成によれば、スイッチ部材のうち、ボール模様の球状部を動かすことによって、演奏を開始するというアクションを楽しむことができる。
【００１８】
本考案において、前記球状部に外力を印加するための打撃部材を備え、前記打撃部材は、前記ボールを用いた競技において前記ボールを打撃するバット形状、ラケット形状、クラブ形状、またはスティック形状を有している態様を採用することができる。かかる構成によれば、スイッチ部材のボール模様の球状部に対応する打撃部材を用いて演奏を開始するというアクションを楽しむことができる。
【００１９】
本考案において、前記自動演奏器がオルゴールである態様を採用することができる。
【００２０】
本考案において、前記出力部材には歯車が設けられ、前記歯車は、前記オルゴールにおいて前記回転部として構成されたドラムと一体に回転する歯車と噛み合っている態様を採
用することができる。
【考案の効果】
【００２１】
本考案では、自動演奏器の回転部と一体に回転可能な可撓性の出力部材は、先端側がケース側に向かって撓んだ状態でスイッチ部材と係合し、回転が阻止された状態となる。従って、自動演奏器の回転部の回転が阻止されるので、演奏が停止されている。この状態から、スイッチ部材を外力によって変位させると、出力部材とスイッチ部材との係合が解除され、出力部材の先端側がケースから外側に突出するとともに自動演奏器の演奏が開始される。ここで、出力部材の先端側には造形物が設けられており、自動演奏器が演奏している間、造形物が回転する。従って、自動演奏器による演奏を楽しむことができるとともに、演奏を開始する際に出力部材の先端側がケースから外側に突出するというアクションと、演奏中、造形物が回転するというアクションを楽しむことができる。
【図面の簡単な説明】
【００２２】
【図１】本考案に係るアクション付き自動演奏装置の演奏停止時の様子を示す斜視図である。
【図２】本考案に係るアクション付き自動演奏装置の演奏時の様子を示す斜視図である。
【図３】本考案に係るアクション付き自動演奏装置から外装部材を外した様子を示す斜視図である。
【図４】本考案に係るアクション付き自動演奏装置に用いた機械式の自動演奏器の説明図である。
【図５】本考案に係るアクション付き自動演奏装置に用いたスイッチ部材の説明図である。
【考案を実施するための形態】
【００２３】
図面を参照して、本考案を実施するための形態を説明する。
【００２４】
（全体構成）
図１は、本考案に係るアクション付き自動演奏装置１の演奏停止時の様子を示す斜視図である。図２は、本考案に係るアクション付き自動演奏装置１の演奏時の様子を示す斜視図である。図３は、本考案に係るアクション付き自動演奏装置１から外装部材３を外した様子を示す斜視図である。
【００２５】
図１および図２に示すアクション付き自動演奏装置１は、各種スポーツにおける贔屓のチームの必勝祈願等に用いるパーティグッズであり、図１に示す状態から、図２に示す状態に移行するアクションを行う。アクション付き自動演奏装置１は、図３に示すように、機械式の自動演奏器４と、自動演奏器４を収容したケース２とを有している。ケース２は、酒樽のような円筒状を有しており、側面には多数の穴２９が形成されている。図１および図２に示すように、ケース２には、酒樽用の菰状の外装部材３が被せられている。また、外装部材３には、マーク３６、メッセージ、スローガン等が記されたシール３５が貼付されている。シール３５には、贔屓のチームの名称や選手名が記載される。
【００２６】
詳しくは図４および図５を参照して後述するが、アクション付き自動演奏装置１は、ケース２から先端側が外側に突出した状態で自動演奏器４の回転部と一体に回転可能な可撓性の出力部材５と、ケース２の側に支持されたスイッチ部材６とを有しており、出力部材５の先端側をケース２側に向けて撓ませて、出力部材５の先端側をスイッチ部材６と係合させると、出力部材５の回転が阻止された状態となる。また、スイッチ部材６を変位させて、出力部材５とスイッチ部材６との係合を解除すると、出力部材５は、それ自身の弾性によって、図２に示すように、先端側がケース２から外側に突出した状態となるとともに
、矢印ｃｃｗで示すように、軸線Ｌ１周りに回転可能な状態となり、自動演奏器４の演奏が開始される。
【００２７】
本形態において、出力部材５およびスイッチ部材６は、ケース２の上面側に設けられている。従って、自動演奏器４での演奏を停止する際には、出力部材５の先端側をケース２の側へ撓ませ、出力部材５をケース２の天板部２５に沿うように撓ませて、スイッチ部材６と係合させる。また、スイッチ部材６を変位させて、出力部材５とスイッチ部材６との係合を解除すると、出力部材５は、先端側をケース２から上方に突出させる。
【００２８】
出力部材５の先端側には、物品や動物の形に作り上げられた造形物５５が設けられており、自動演奏器４が演奏している間、造形物５５は、出力部材５の軸線周りに回転する。本形態において、造形物５５は、旗形状に形成されている。このため、自動演奏器４が演奏している間、矢印ｃｃｗで示すように、旗形状の造形物５５が出力部材５の軸線Ｌ１周りに回転する。
【００２９】
スイッチ部材６は、外力が付される部分がボールに作り上げられた球状部６１になっており、ケース２の天板部２５には、上記のボールを用いた競技が行われる競技場の模様が付されている。また、アクション付き自動演奏装置１は、スイッチ部材６の球状部６１に外力を印加するための打撃部材９を備えており、打撃部材９は、ボールを用いた競技においてボールを打撃するバット形状、ラケット形状、クラブ形状、またはスティック形状を有している。本形態において、スイッチ部材６の球状部６１には、野球用ボールの模様が付されており、ケース２の天板部２５には、ピッチャーマウンド、ベース、ライン等からなる野球グランドの模様が付され、打撃部材９は、野球バットの形状を有している。
【００３０】
天板部２５には、スイッチ部材６と係合した状態の出力部材５と重なる位置に、筒状に巻回されたメッセージシート８が保持されている。本形態において、出力部材５は、セカンドベース付近に配置され、スイッチ部材６は、ホームベースの背後に形成され、メッセージシート８は、セカンドベースとピッチャーマウンドとの間に配置されている。なお、天板部２５には、メッセージシート８を配置する溝２５１が形成されており、溝２５１に配置されたメッセージシート８は、ゴムバンド２５２によって保持されている。
【００３１】
（カバー部材７の構成）
図１に示すように、アクション付き自動演奏装置１は、出力部材５と係合した状態の出力部材５を上方から覆った状態でケース２に支持されるカバー部材７を備えている。出力部材５は、スイッチ部材６との係合が解除された際、図２に示すように、カバー部材７を撥ね退けてケース２から上方に向かって突出する。本形態において、カバー部材７は、第１板状部材７１と、第１板状部材７１と面内方向に並んで、出力部材５を第１板状部材７１とともに覆う第２板状部材７２とを備えている。ケース２は円筒状であり、天板部２５は円形である。このため、第１板状部材７１および第２板状部材７２は、同一サイズの略半円形に形成されている。ここで、スイッチ部材６と係合している出力部材５は、第１板状部材７１と第２板状部材７２との間７０と重なった状態で第１板状部材７１および第２板状部材７２によって覆われている。すなわち、出力部材５は、第１板状部材７１の第２板状部材７２側の端部、および第２板状部材７２の第１板状部材７１側の端部と重なった状態で第１板状部材７１および第２板状部材７２によって覆われている。このため、出力部材５は、スイッチ部材６との係合が解除された際、図２に矢印Ｆ１で示すように、それ自身の弾性によって起立し、第１板状部材７１と第２板状部材７２との間７０に力を印加する。従って、図２に矢印Ｆ２で示すように、第１板状部材７１および第２板状部材７２は各々、出力部材５によって、左右両側に大きく撥ね退けられることになる。本形態において、カバー部材７（第１板状部材７１および第２板状部材７２）は、酒樽の蓋形状を有している。このため、図２に示すように、アクション付き自動演奏装置１では、酒樽を用
いた鏡開きの動きを再現することができる。
【００３２】
（機械式の自動演奏器４の構成）
図４は、本考案に係るアクション付き自動演奏装置１に用いた機械式の自動演奏器４の説明図である。図４に示すように、本考案に係るアクション付き自動演奏装置１において、出力部材５は、可撓性の軸状部５０と、軸状部５０の先端側に旗形状に設けられた造形物５５とを有している。軸状部５０は、下端部に歯車５４が形成された金属製の第１軸体５１と、旗形状の造形物５５が連結された金属製の第２軸体５２と、第１軸体５１と第２軸体５２とを繋ぐコイルバネ５３とを有しており、軸状部５０は、コイルバネ５３によって可撓性が付与されている。旗状の造形物５５には、例えば、贔屓のチームの旗模様が付されている。
【００３３】
本形態において、機械式の自動演奏器４は、オルゴール４０であり、オルゴール４０は、ドラム４５（回転部）の回転中心軸線を上下方向に向けてケース２内の支持板に固定されている。オルゴール４０は、ゼンマイ（図示せず）が収容されたゼンマイ収容箱４１、ガバナ機構４２，振動弁４３等が設けられている。また、ゼンマイ収容箱４１からは軸状の巻きカギ部４４が突出しており、巻きカギ部４４の端部はケース２の穴２９から突出している。従って、巻きカギ部４４を回転させてゼンマイを巻いた後、ゼンマイを開放すると、ゼンマイの解放力によってドラム４５が回転し、振動弁４３を弾いて曲を演奏する。その際、ドラム４５は、ガバナ機構４２によって調速されていて、略一定の速度で回転する。本形態において、巻きカギ部４４は、ゼンマイ収容箱４１に対して着脱可能である。
【００３４】
ここで、ドラム４５には、ドラム４５と一体に回転する歯車４６が連結されている一方、出力部材５の端部には、歯車４６と噛み合う歯車５４が設けられている。従って、出力部材５がスイッチ部材６と係合して回転が阻止されると、ドラム４５の回転が阻止されるので、演奏が停止する。これに対して、出力部材５とスイッチ部材６との係合が解除されると、出力部材５が回転可能となる。従って、ドラム４５が回転し、演奏が行われるとともに、出力部材５が回転する。本形態において、機械式の自動演奏器４（オルゴール４０）は、贔屓のチームの応援歌を演奏する。
【００３５】
（スイッチ部材６の構成）
図５は、本考案に係るアクション付き自動演奏装置１に用いたスイッチ部材６の説明図である。図５に示すように、スイッチ部材６は、ケース２に支持板２６を介して支持されている。支持板２６は、カバー部材７を配置した際、カバー部材７とともに、天板部２５の上方を覆う形状に形成されている。
【００３６】
本形態において、スイッチ部材６は、球状部６１と、球状部６１から下方に延在する軸部６２と、軸部６２から側方に突出した係合突起６３とを有しており、軸部６２が支持板２６に形成された穴２６０を貫通することによって、球状部６１が上方に突出している。また、支持板２６と天板部２５との間には筒状のホルダ６５が固定されており、軸部６２はホルダ６５の内側に位置する。ここで、ホルダ６５の側面には、上下方向に延在するスリット６６が形成されており、係合突起６３は、スリット６６を介してホルダ６５の外側に突出している。この状態で、スイッチ部材６は、スリット６６によってスイッチ部材６の軸線Ｌ２周りの回転範囲が規制され、係合突起６３は、常に出力部材５に向けて突出している。なお、ホルダ６５の内部には、ホルダ６５の底部とスイッチ部材６との間にコイルバネ（図示せず）が配置されており、スイッチ部材６は上方に向けて付勢されている。このため、スイッチ部材６を下方に押圧しても、押圧を停止すれば、スイッチ部材６は所定の位置まで上昇する。但し、係合突起６３は、スリット６６の内側に位置するため、スイッチ部材６のそれ以上の上昇は制限されている。
【００３７】
一方、出力部材５の先端部には、上向きの半円弧状の突出部５９が設けられている。従って、出力部材５の先端側を天板部２５に沿うように撓ませて、突出部５９を係合突起６３の下方に潜らせて手を離せば、出力部材５のコイルバネ５３による弾性力によって、突出部５９が係合突起６３に下方から弾性をもって係合し、出力部材５は撓んだ姿勢に保持される。
【００３８】
この状態で、自動演奏器４が演奏する際に出力部材５が回転する方向は、矢印ＣＣＷで示すように、出力部材５とスイッチ部材６とが係合した状態で、出力部材５の造形物５５がケース２側（天板部２５）と干渉する方向である。従って、出力部材５の軸線Ｌ１周りの回転が阻止される。
【００３９】
この状態で、スイッチ部材６の球状部６１を打撃部材９で打撃し、スイッチ部材６を下方に変位させると、出力部材５の先端部（突出部５９）とスイッチ部材６の係合突起６３との係合が外れ、出力部材５は起立する。その結果、造形物５５とケース２の天板部２５との干渉が解除されるので、出力部材５は、回転可能な状態となる。
【００４０】
（本形態の主な効果）
以上説明したように、本形態のアクション付き自動演奏装置１において、自動演奏器４の回転部（ドラム４５）と一体に回転可能な出力部材５は、先端側がケース２側に向かって撓んだ状態でスイッチ部材６と係合し、回転が阻止された状態となる。従って、自動演奏器４のドラム４５の回転が阻止されるので、演奏が停止される。この状態から、スイッチ部材６を外力によって変位させると、出力部材５とスイッチ部材６との係合が解除され、出力部材５の先端側がケース２から外側に突出するとともに自動演奏器４の演奏が開始される。ここで、出力部材５の先端側には、旗形状の造形物５５が設けられており、自動演奏器４が演奏している間、造形物５５が回転する。従って、自動演奏器４による演奏を楽しむことができるとともに、演奏を開始する際に出力部材５の先端側がケース２から外側に突出するというアクションと、演奏中、旗形状の造形物５５が回転するというアクションとを楽しむことができる。特に、出力部材５とスイッチ部材６との係合が解除された際、出力部材５は、ケース２から上方に向かって起立するため、出力部材５の動きを目立たせることができる。
【００４１】
また、図５に示すように、自動演奏器４が演奏する際に出力部材５が回転する方向（矢印ｃｃｗで示す方向）は、出力部材５がスイッチ部材６と係合した状態で、出力部材５の造形物５５がケース２の天板部２５と干渉する方向である。従って、簡素な構成で出力部材５の回転を阻止することができる。
【００４２】
また、アクション付き自動演奏装置１は、スイッチ部材６と係合した状態の出力部材５を覆うカバー部材７を備えており、出力部材５は、出力部材５とスイッチ部材６との係合が解除された際、カバー部材７を撥ね退けてケース２から上方に向かって突出する。このため、演奏を開始する際にカバー部材７のアクションを楽しむことができる。また、カバー部材７のアクションは、出力部材５によって行われるので、簡素な構成で上記の動作を実行することができる。しかも、カバー部材７は、第１板状部材７１と第２板状部材７２とを備えており、ケース２には、酒樽用の菰状の外装部材３が被せられている。従って、酒樽を用いた鏡開きの動きを再現することができる。
【００４３】
また、出力部材５の軸状部５０は、コイルバネ５３によって可撓性が付されているため、出力部材５を繰り返し撓ませても、出力部材５が損傷しにくい。また、出力部材５は、コイルバネ５３の弾性によって、比較的大きな弾性力を発揮するので、カバー部材７を派手に撥ね退けることができる。
【００４４】
本考案において、スイッチ部材６は、外力が付される部分がボールに作り上げられた球状部６１になっている。また、ケース２は、ボールを用いた競技が行われる競技場の模様が付された天板部２５を備えている。また、球状部６１に外力を印加するための打撃部材９を備え、打撃部材９は、ボールを用いた競技においてボールを打撃する形状を有する。従って、スイッチ部材６のボール模様の球状部６１に対応する打撃部材９を用いて演奏を開始する等のアクションを楽しむことができる。
【００４５】
（他の実施の形態）
上記実施の形態では、自動演奏器４としてオルゴール４０を用いたが、オルガニート等の機械式の自動演奏器を用いてもよい。
【００４６】
上記実施の形態では、造形物５５を旗形状に構成したが、造形物５５については、旗以外の物品の形状に構成してもよい。また、造形物５５については、人やウサギ等の動物の形状に構成してもよい。
【００４７】
上記実施の形態では、カバー部材７（第１板状部材７１および第２板状部材７２）が出力部材５によって撥ね退けられた際、ケース２から離脱する構成であったが、カバー部材７とケース２とが紐等で接続された構成や、第１板状部材７１および第２板状部材７２が扉状に開閉する構成であってもよい。
【符号の説明】
【００４８】
１…アクション付き自動演奏装置、２…ケース、３…外装部材、４…自動演奏器、５…出力部材、６…スイッチ部材、７…カバー部材、８…メッセージシート、９…打撃部材、２５…天板部、２６…支持板、４０…オルゴール、４１…ゼンマイ収容箱、４２…ガバナ機構、４３…振動弁、４４…巻きカギ部、４５…ドラム（回転部）、４６，５４…歯車、５０…軸状部、５１…第１軸体、５２…第２軸体、５３…コイルバネ、５５…造形物、５９…突出部、６１…球状部、６２…軸部、６３…係合突起、６５…ホルダ、６６…スリット、７１…第１板状部材、７２…第２板状部材、２５１…溝、２５２…ゴムバンド、２６０…穴
【図１】
0003202777.tif 000003
【図２】
0003202777.tif 000004
【図４】
0003202777.tif 000005
【図５】
0003202777.tif 000006
【図３】
0003202777.tif 000007